(57)【要約】【課題】適切な利用者が環境制御領域に識別体を置き忘れた場合でも、設備機器のエネルギーの浪費を抑制することができる設備機器の制御システムを提供する。【解決手段】設備機器の制御システムは、環境制御領域に設けられた読取装置と、前記環境制御領域に設けられたカメラと、識別体の識別情報と顔の画像とを対応付けて記憶した記憶装置と、前記読取装置が識別体から識別情報を読み取った際に、当該識別情報に基づいて当該識別体を認証し、当該識別体が認証された場合に、前記カメラを起動し、前記カメラにより撮影された顔と当該識別情報に対応付けられた顔の画像とが一致した際に前記管理領域に設けられた設備機器を動作させ、前記カメラにより撮影された顔と当該識別情報に対応付けられた顔の画像とが一致しない場合に前記設備機器の動作を停止させる制御装置と、を備えた。【選択図】図２
2015137791.tif 000002
【特許請求の範囲】
【請求項１】
環境制御領域に設けられた読取装置と、
前記環境制御領域に設けられたカメラと、
識別体の識別情報と顔の画像とを対応付けて記憶した記憶装置と、
前記読取装置が識別体から識別情報を読み取った際に、当該識別情報に基づいて当該識別体を認証し、当該識別体が認証された場合に、前記カメラを起動し、前記カメラにより撮影された顔と当該識別情報に対応付けられた顔の画像とが一致した際に前記環境制御領域に設けられた設備機器を動作させ、前記カメラにより撮影された顔と当該識別情報に対応付けられた顔の画像とが一致しない場合に前記設備機器の動作を停止させる制御装置と、
を備えた設備機器の制御システム。
【請求項２】
前記制御装置は、前記カメラが複数の顔を同時に撮影した場合に、前記複数の顔のうちのいずれか一つの顔の画像が当該識別情報に対応付けられた顔の画像と一致するか否かに基づいて前記設備機器の動作を制御する請求項１に記載の設備機器の制御システム。
【発明の詳細な説明】
【技術分野】
【０００１】
この発明は、設備機器の制御システムに関する。
【背景技術】
【０００２】
特許文献１には、設備機器の制御システムが記載されている。当該制御システムにおいては、識別体が環境制御領域において認証された場合に、設備機器が動作する。これに対し、識別体が環境制御領域において認証されない場合に、設備機器が停止する。このため、設備機器は、適切な利用者に対してのみ動作する。その結果、設備機器のエネルギーの浪費を抑制することができる。
【先行技術文献】
【特許文献】
【０００３】
【特許文献１】特開２０１０−１５１３４１号公報
【発明の概要】
【発明が解決しようとする課題】
【０００４】
しかしながら、特許文献１に記載のものにおいては、適切な利用者が環境制御領域に識別体を置き忘れた場合、制御機器の動作が継続する。
【０００５】
この発明は、上述の課題を解決するためになされた。この発明の目的は、適切な利用者が環境制御領域に識別体を置き忘れた場合でも、設備機器のエネルギーの浪費を抑制することができる設備機器の制御システムを提供することである。
【課題を解決するための手段】
【０００６】
この発明に係る設備機器の制御システムは、環境制御領域に設けられた読取装置と、前記環境制御領域に設けられたカメラと、識別体の識別情報と顔の画像とを対応付けて記憶した記憶装置と、前記読取装置が識別体から識別情報を読み取った際に、当該識別情報に基づいて当該識別体を認証し、当該識別体が認証された場合に、前記カメラを起動し、前記カメラにより撮影された顔と当該識別情報に対応付けられた顔の画像とが一致した際に前記管理領域に設けられた設備機器を動作させ、前記カメラにより撮影された顔と当該識別情報に対応付けられた顔の画像とが一致しない場合に前記設備機器の動作を停止させる制御装置と、を備えた。
【発明の効果】
【０００７】
この発明によれば、カメラにより撮影された顔と識別情報に対応付けられた顔の画像とが一致しない場合、設備機器が停止する。このため、適切な利用者が環境制御領域に識別体を置き忘れた場合でも、設備機器のエネルギーの浪費を抑制することができる。
【図面の簡単な説明】
【０００８】
【図１】この発明の実施の形態１における設備機器の制御システムを適用する管理領域の模式図である。
【図２】この発明の実施の形態１における設備機器の制御システムのブロック図である。
【図３】この発明の実施の形態１における設備機器の制御システムの動作を説明するためのフローチャートである。
【発明を実施するための形態】
【０００９】
この発明を実施するための形態について添付の図面に従って説明する。なお、各図中、同一又は相当する部分には、同一の符号が付される。当該部分の重複説明は適宜に簡略化又は省略化される。
【００１０】
実施の形態１．
図１はこの発明の実施の形態１における設備機器の制御システムを適用する管理領域の模式図である。
【００１１】
図１において、管理領域１は、建物等からなる。扉２は、管理領域１の出入口に設けられる。電気錠３は、扉２に設けられる。第１読取装置は、管理領域１の出入口に設けられる。例えば、第１読取装置は、第１ＩＣタグリーダ４からなる。
【００１２】
管理領域１は、環境制御領域として、１つ以上の座席領域５を備える。設備機器は、各座席領域５に設けられる。例えば、設備機器は、照明設備６、空調設備７等からなる。第２読取装置は、各座席領域５に設けられる。例えば、第２読取装置は、第２ＩＣタグリーダ８からなる。カメラ９は、各座席領域５に設けられる。
【００１３】
ローカルコントローラ１０は、管理領域１に対応して設けられる。ローカルコントローラ１０は、各管理領域１の電気錠３に接続される。ローカルコントローラ１０は、管理領域１の第１ＩＣタグリーダ４に接続される。ローカルコントローラ１０は、各座席領域５の第２ＩＣタグリーダ８、カメラ９、設備機器に接続される。
【００１４】
利用者１１は、識別体を携帯する。例えば、識別体は、ＩＣタグ１２からなる。識別体は、識別情報を記憶する。
【００１５】
利用者１１が扉２に近づくと、第１ＩＣタグリーダ４は、ＩＣタグ１２から識別情報を読み取る。ローカルコントローラ１０は、当該識別情報に基づいて、ＩＣタグ１２を認証するか否かを判定する。ＩＣタグ１２が認証された場合、ローカルコントローラ１０は、電気錠３を解く。
【００１６】
利用者１１が座席領域５に着くと、第２ＩＣタグリーダ８は、ＩＣタグ１２から識別情報を読み取る。この際、ＩＣタグ１２は、予め設定された第１認証時間間隔で識別情報を送信する。ローカルコントローラ１０は、第１認証時間間隔で当該識別情報に基づいて第１の認証を行う。
【００１７】
その後、カメラ９は、予め設定された第２認証時間間隔で利用者１１の顔を撮影する。ローカルコントローラ１０は、カメラ９により撮影された顔の画像に基づいて第２の認証を行う。その後、ローカルコントローラ１０は、制御装置として、第２の認証の結果に基づいて設備機器を制御する。
【００１８】
次に、図２を用いて、ＩＣタグ１２による第１の認証と画像による第２の認証とを説明する。
図２はこの発明の実施の形態１における設備機器の制御システムのブロック図である。
【００１９】
ローカルコントローラ１０は、センタ装置１３に接続される。センタ装置１３は、図示しない記憶装置を備える。記憶装置は、識別情報と顔の画像とを対応付けて記憶する。
【００２０】
第２ＩＣタグリーダ８がＩＣタグ１２から識別情報を読み取ると、ローカルコントローラ１０は、当該識別情報がセンタ装置１３に記憶されているか否かを判定する。当該識別情報がセンタ装置１３に記憶されていない場合、ローカルコントローラ１０は、ＩＣタグ１２を認証しない。当該識別情報がセンタ装置１３に記憶されている場合、ローカルコントローラ１０は、ＩＣタグ１２を認証する。
【００２１】
ＩＣタグ１２が認証された場合、ローカルコントローラ１０は、当該識別情報に対応付けられた顔の画像をセンタ装置１３から読み込む。その後、ローカルコントローラ１０は、カメラ９により撮影された顔の画像とセンタ装置１３から読み込んだ顔の画像とが一致するか否かを判定する。
【００２２】
カメラ９により撮影された顔の画像とセンタ装置１３から読み込んだ顔の画像とが一致した場合、ローカルコントローラ１０は、設備機器を動作させる。カメラ９により撮影された顔の画像とセンタ装置１３から読み込んだ顔の画像とが一致しない場合、ローカルコントローラ１０は、設備機器の動作を停止させる。
【００２３】
次に、図３を用いて、設備機器の制御システムの動作を説明する。
図３はこの発明の実施の形態１における設備機器の制御システムの動作を説明するためのフローチャートである。
【００２４】
ステップＳ１では、ローカルコントローラ１０は、ＩＣタグ１２による認証を行う。
【００２５】
ステップＳ１でＩＣタグ１２が認証されない場合は、ステップＳ２に進む。ステップＳ２では、ローカルコントローラ１０は、設備機器をオフにする。その後、ステップＳ１に戻る。
【００２６】
ステップＳ１でＩＣタグ１２が認証された場合は、ステップＳ３に進む。ステップＳ３では、ローカルコントローラ１０は、時間をカウントする。
【００２７】
ステップＳ３で第１認証時間間隔に対応した時間Ｔ１が経過していない場合は、ステップＳ３が繰り返される。ステップＳ３で第１認証時間間隔に対応した時間Ｔ１が経過した場合は、ステップＳ１に戻る。ステップＳ３で第２認証時間間隔に対応した時間Ｔ２が経過した場合は、ステップＳ４に進む。
【００２８】
ステップＳ４では、ローカルコントローラ１０は、カメラ９を起動する。この際、カメラ９は、利用者１１の顔を撮影する。その後、ローカルコントローラ１０は、カメラ９を停止させる。その後、ステップＳ５に進む。ステップＳ５は、ローカルコントローラ１０は、画像による認証を行う。
【００２９】
ステップＳ５でカメラ９により撮影された顔の画像とセンタ装置１３から読み込んだ顔の画像とが一致した場合は、ステップＳ６に進む。ステップＳ６では、ローカルコントローラ１０は、設備機器をオンにする。その後、ステップＳ３に戻る。
【００３０】
ステップＳ５でカメラ９により撮影された顔の画像とセンタ装置１３から読み込んだ顔の画像とが一致しない場合は、ステップＳ２に進む。ステップＳ２では、ローカルコントローラ１０は、設備機器をオフにする。その後、ステップＳ１に戻る。
【００３１】
以上で説明した実施の形態１によれば、カメラ９により撮影された顔と識別情報に対応付けられた顔の画像とが一致しない場合、設備機器が自動的に停止する。このため、適切な利用者１１が環境制御領域に識別体を置き忘れた場合でも、設備機器のエネルギーの浪費を抑制することができる。
【００３２】
この際、適切な利用者１１以外の者が識別体を携帯しても、設備機器は動作しない。このため、環境制御領域のセキュリティを高めることができる。
【００３３】
なお、カメラ９が複数の利用者１１の顔を同時に撮影した場合は、複数の利用者１１の顔のうちのいずれか一つの顔の画像が当該識別情報に対応付けられた顔の画像と一致するか否かに基づいて設備機器の動作を制御すればよい。この場合、適切な利用者１１が環境制御領域に他者を案内した際、設備機器を動作させることができる。
【００３４】
また、識別体が認証されない場合にセンタ装置１３等に警報を通知してもよい。この場合、環境制御領域のセキュリティをより高めることができる。
【００３５】
また、カメラ９により撮影された顔と識別情報に対応付けられた顔の画像とが一致しない場合にセンタ装置１３等に警報を通知してもよい。この場合、環境制御領域のセキュリティをより高めることができる。
【符号の説明】
【００３６】
１  管理領域、  ２  扉、  ３  電気錠、  ４  第１ＩＣタグリーダ、  ５  座席領域、  ６  照明設備、  ７  空調設備、  ８  第２ＩＣタグリーダ、  ９  カメラ、  １０  ローカルコントローラ、  １１  利用者、  １２  ＩＣタグ、  １３  センタ装置
【図１】
2015137791.tif 000003
【図２】
2015137791.tif 000004
【図３】
2015137791.tif 000005